(57)【要約】【課題】前方を照らす状態でユーザの身体に好適に固定することが可能な消防用投光器を提供する。【解決手段】消防用投光器（１００）は、光源部（１０）と、光源部を収容する筐体（２０）とを備える。消防用投光器は、筐体（２０）の両側面の少なくとも一方に設けられた係止手段であって、ユーザの腰に巻かれた安全帯（ＳＢ）に筐体を係止する係止手段（２２）をさらに備える。係止手段は、消防用投光器の前後方向中央よりも消防用投光器の重心側に位置している。【選択図】図１１
2019207843.tif 000002
【特許請求の範囲】
【請求項１】
光源部と、
前記光源部を収容する筐体と、
を備えた消防用投光器であって、
前記筐体の両側面の少なくとも一方に設けられた係止手段であって、ユーザの腰に巻かれた安全帯に前記筐体を係止する係止手段をさらに備え、
前記係止手段は、前記消防用投光器の前後方向中央よりも前記消防用投光器の重心側に位置している、消防用投光器。
【請求項２】
前記筐体の前記少なくとも一方の側面は、左右方向内側に凹んだ曲面部分を含む請求項１に記載の消防用投光器。
【請求項３】
前記係止手段は、前記筐体の両側面のそれぞれに設けられている請求項１または２に記載の消防用投光器。
【請求項４】
前記筐体の前記少なくとも一方の側面は、切り欠き部を有し、
前記係止手段は、前記切り欠き部によって規定される形状を有するクリップ部である請求項１から３のいずれかに記載の消防用投光器。
【請求項５】
前記筐体の前記切り欠き部は、前記光源部で生じる熱を放出するための放熱孔として機能する請求項４に記載の消防用投光器。
【請求項６】
前記クリップ部は、下方に延びる第１舌片部を含む請求項４または５に記載の消防用投光器。
【請求項７】
前記クリップ部は、上方に延びる第２舌片部をさらに含む請求項６に記載の消防用投光器。
【請求項８】
前記第１舌片部と前記第２舌片部とは、互いに長さが異なる請求項７に記載の消防用投光器。
【請求項９】
前記切り欠き部は、略Ｘ字状である請求項４から８のいずれかに記載の消防用投光器。
【請求項１０】
前記消防用投光器の重心は、前記消防用投光器の前後方向中央よりも前方に位置している請求項１から９のいずれかに記載の消防用投光器。
【請求項１１】
前記筐体は、前記筐体の他の部分よりも左右方向の幅が広い幅広部を有し、
前記幅広部は、前記消防用投光器の前後方向中央よりも前方に位置している請求項１０に記載の消防用投光器。
【請求項１２】
外部電源から電力を供給される請求項１から１１のいずれかに記載の消防用投光器。
【請求項１３】
光源部と、
前記光源部を収容する筐体と、
を備えた消防用投光器であって、
前記筐体の両側面の少なくとも一方に設けられた係止手段であって、ユーザの腰に巻かれた安全帯に前記筐体を係止する係止手段をさらに備え、
前記筐体は、左右方向の幅が相対的に広い幅広部と、左右方向の幅が相対的に狭い幅狭部とを有し、
前記係止手段は、前記筐体の前記幅狭部に配置されている、消防用投光器。
【請求項１４】
光源部と、
前記光源部を収容する筐体と、
を備えた消防用投光器であって、
前記筐体の両側面の少なくとも一方に設けられたクリップ部であって、下方に延びる第１舌片部と、上方に延びる第２舌片部とを含むクリップ部をさらに備える、消防用投光器。
【請求項１５】
前記第１舌片部と前記第２舌片部とは、互いに長さが異なる請求項１４に記載の消防用投光器。
【発明の詳細な説明】
【技術分野】
【０００１】
本発明は、投光器に関し、特に、消防用の投光器に関する。
【背景技術】
【０００２】
特許文献１には、消防活動や災害救助に用いられる消防用投光器が開示されている。特許文献１の投光器は、接続ケーブルを介して信号器（特許文献１では「電源装置」と呼ばれている）に接続される。信号器および投光器には、それぞれ信号スイッチが設けられている。信号スイッチを操作することにより、信号器から投光器に、または、投光器から信号器に、接続ケーブルを介して信号を送信することができる。さらに、信号器および投光器のそれぞれには、信号の送信に同期して点灯する表示灯が設けられている。このような構成により、信号器側と投光器側とで相互に異常を知らせ合うことができる。
【０００３】
また、特許文献１の投光器には、配光切換スイッチが設けられている。配光切換スイッチを操作することにより、光源であるランプの配光を切り換えることができる。必要に応じてランプの配光を切り換えることにより、作業性が向上する。
【０００４】
特許文献１の投光器では、投光器本体の上部にハンドルが取り付けられており、ユーザはこのハンドルを片手で把持することによって投光器を携行することができる。
【先行技術文献】
【特許文献】
【０００５】
【特許文献１】特開平１０−２６１３０５号公報
【特許文献２】特開２０１６−１０３３９９号公報
【発明の概要】
【発明が解決しようとする課題】
【０００６】
本願発明者は、消防用投光器の利便性を向上させるための種々の検討を行った。その結果、投光器を、前方を照らしている状態を維持しながらユーザの身体にうまく固定できれば、利便性が大きく向上することに着目した。このように投光器を固定することができれば、例えば要救助者を救出する際、ユーザである救助隊隊員は、狭い空間内で要救助者を運ぶために両手を使用することができる。
【０００７】
特許文献２には、ユーザがハンドルを把持した状態で使用する携帯型の紫外線照射装置が開示されている。特許文献２の紫外線照射装置では、照射装置本体（ハウジング）の側面には、前後方向中央からやや後方に、前方に向かって延びる形状のベルト用フックが設けられている。このベルト用フックをユーザのベルトに引っ掛けることにより、紫外線照射装置をユーザのベルトに吊り下げることができる。しかしながら、ベルト用フックによりベルトに吊り下げられた状態では、紫外線照射装置の前部に設けられたレンズは、下方を向いているので、ユーザの前方に紫外線を照射することはできない。
【０００８】
本発明は、上記問題に鑑みてなされたものであり、その目的は、前方を照らす状態でユーザの身体に好適に固定することが可能な消防用投光器を提供することにある。
【課題を解決するための手段】
【０００９】
本発明の実施形態による消防用投光器は、光源部と、前記光源部を収容する筐体と、を備えた消防用投光器であって、前記筐体の両側面の少なくとも一方に設けられた係止手段であって、ユーザの腰に巻かれた安全帯に前記筐体を係止する係止手段をさらに備え、前記係止手段は、前記消防用投光器の前後方向中央よりも前記消防用投光器の重心側に位置している。
【００１０】
ある実施形態では、前記筐体の前記少なくとも一方の側面は、左右方向内側に凹んだ曲面部分を含む。
【００１１】
ある実施形態では、前記係止手段は、前記筐体の両側面のそれぞれに設けられている。
【００１２】
ある実施形態では、前記筐体の前記少なくとも一方の側面は、切り欠き部を有し、前記係止手段は、前記切り欠き部によって規定される形状を有するクリップ部である。
【００１３】
ある実施形態では、前記筐体の前記切り欠き部は、前記光源部で生じる熱を放出するための放熱孔として機能する。
【００１４】
ある実施形態では、前記クリップ部は、下方に延びる第１舌片部を含む。
【００１５】
ある実施形態では、前記クリップ部は、上方に延びる第２舌片部をさらに含む。
【００１６】
ある実施形態では、前記第１舌片部と前記第２舌片部とは、互いに長さが異なる。
【００１７】
ある実施形態では、前記切り欠き部は、略Ｘ字状である。
【００１８】
ある実施形態では、前記消防用投光器の重心は、前記消防用投光器の前後方向中央よりも前方に位置している。
【００１９】
ある実施形態では、前記筐体は、前記筐体の他の部分よりも左右方向の幅が広い幅広部を有し、前記幅広部は、前記消防用投光器の前後方向中央よりも前方に位置している。
【００２０】
ある実施形態では、前記消防用投光器は、外部電源から電力を供給される。
【００２１】
ある実施形態では、前記消防用投光器は、信号器に接続ケーブルを介して接続される。
【００２２】
ある実施形態では、前記消防用投光器は、前記筐体の上部に配置されユーザの手によって把持されるハンドルと、前記信号器に前記接続ケーブルを介して信号を送信する操作を受け付ける第１スイッチと、前記光源部の配光を切り換える操作を受け付ける第２スイッチと、をさらに備え、前記第１スイッチおよび前記第２スイッチは、前記ハンドルを把持した手の指が届く範囲内に配置されている。
【００２３】
ある実施形態では、前記筐体の長手方向において、前記第１スイッチおよび前記第２スイッチは、前記ハンドルの前方に位置している。
【００２４】
ある実施形態では、前記第１スイッチおよび前記第２スイッチは、実質的に前記ハンドルの軸線上に位置している。
【００２５】
ある実施形態では、前記消防用投光器は、前記信号器への信号の送信に応じて点灯する信号表示灯をさらに備え、前記信号表示灯は、前記第１スイッチおよび前記第２スイッチの周辺に配置されている。
【００２６】
ある実施形態では、前記筐体の長手方向において、前記信号表示灯は、前記ハンドルの前方に位置している。
【００２７】
ある実施形態では、前記筐体の長手方向において、前記信号表示灯が前記第１スイッチおよび前記第２スイッチよりも前方に位置する。
【００２８】
ある実施形態では、前記消防用投光器は、少なくとも２つの防水区画を有する。
【００２９】
ある実施形態では、前記少なくとも２つの防水区画のうちの１つの防水区画に、前記第１スイッチおよび前記第２スイッチの両方が配置されている。
【００３０】
本発明の実施形態による他の消防用投光器は、光源部と、前記光源部を収容する筐体と、を備えた消防用投光器であって、前記筐体の両側面の少なくとも一方に設けられた係止手段であって、ユーザの腰に巻かれた安全帯に前記筐体を係止する係止手段をさらに備え、前記筐体は、左右方向の幅が相対的に広い幅広部と、左右方向の幅が相対的に狭い幅狭部とを有し、前記係止手段は、前記筐体の前記幅狭部に配置されている。
【００３１】
本発明の実施形態によるさらに他の消防用投光器は、光源部と、前記光源部を収容する筐体と、を備えた消防用投光器であって、前記筐体の両側面の少なくとも一方に設けられたクリップ部であって、下方に延びる第１舌片部と、上方に延びる第２舌片部とを含むクリップ部をさらに備える。
【００３２】
ある実施形態では、前記第１舌片部と前記第２舌片部とは、互いに長さが異なる。
【００３３】
本発明の実施形態による消防用投光器は、ユーザの腰に巻かれた安全帯に筐体を係止する係止手段を備えており、この係止手段は、消防用投光器の前後方向中央よりも消防用投光器の重心側に位置している。係止手段が前後方向中央よりも重心側に位置していることにより、重心から比較的近い位置で係止が行われるので、光源部がユーザの前方を向いたままの状態で消防用投光器をユーザの身体に固定することが容易となる。これに対し、係止手段が前後方向中央に対して重心とは反対側に位置していると、消防用投光器の重心から係止手段までの距離が比較的長くなることがあり、光源部がユーザの前方を向いたままの状態で消防用投光器をユーザの身体に固定することが難しくなるおそれがある。
【００３４】
筺体の係止手段が設けられている側面が左右方向内側に凹んだ曲面部分を含むことにより、安全帯に筐体を係止（つまり消防用投光器を固定）したときに、筐体がユーザの身体にフィットしやすくなる。つまり、ユーザの身体に係止手段だけでなく曲面部分も当接するようになる。そのため、消防用投光器を固定したときの安定性が増す。また、ユーザが素早く動いても、係止手段のみに負荷が集中することを防止できるので、係止手段が破損しにくい。また、比較的広い面積で消防用投光器を支持することになるので、光源部をユーザの前方に向けたままの固定がいっそう容易となる。
【００３５】
係止手段が筐体の両側面のそれぞれに設けられていると、消防用投光器をユーザの腰の右側および左側のどちらにも固定することができる。そのため、ユーザの利き手を問わず消防用投光器を好適に使用できる利点が得られる。
【００３６】
係止手段が、筐体の側面の切り欠き部によって規定される形状を有するクリップ部であると、部品点数の削減および筐体の軽量化を図るとともに、消防用投光器のデザイン性を高くすることができる。
【００３７】
筐体の側面に形成された切り欠き部は、光源部で生じる熱を放出するための放熱孔として機能してもよい。放熱孔を、クリップ部の形状を規定する切り欠き部としても用いることにより、筐体に余分な孔を形成する必要がない。
【００３８】
クリップ部が、下方に延びる第１舌片部を含むことにより、水平方向に延びる安全帯に対し、消防用投光器をユーザの前方に向けたまま係止することが容易となる。
【００３９】
クリップ部が、上方に延びる第２舌片部をさらに含むことにより、安全帯に対して消防用投光器をより確実に固定することができる。
【００４０】
第１舌片部と第２舌片部とは、互いに長さが異なることが好ましい。第１舌片部と第２舌片部とで長さが異なることにより、つまり、比較的長い舌片部と比較的短い舌片部とを組み合わせて用いることにより、安全帯ＳＢに舌片部を掛けやすく、また、クリップ部２２から安全帯ＳＢが外れにくいという利点が得られる。
【００４１】
上述したような第１舌片部および第２舌片部を含むクリップ部は、例えば、切り欠き部を略Ｘ字状にすることにより得られる。
【００４２】
消防用投光器の重心は、典型的には、消防用投光器の前後方向中央よりも前方に位置している。
【００４３】
筐体は、筐体の他の部分よりも左右方向の幅が広い幅広部を有していてもよい。消防用投光器の重心が、消防用投光器の前後方向中央よりも前方に位置している場合、筐体の幅広部も消防用投光器の前後方向中央より前方に位置していると、幅広部がユーザの身体（具体的には腰から大腿部）に当接することにより、消防用投光器が前下がりになることを防止できる。そのため、消防用投光器がユーザの前方に向いた状態をより確実に維持することができる。
【００４４】
本発明の実施形態は、外部電源から電力を供給される消防用投光器に好適に用いられる。外部電源から電力の供給を行うことにより、消防用投光器を長時間（消防活動に必要な所望の時間）使用することができる。
【００４５】
本発明の実施形態による消防用投光器は、信号器に接続ケーブルを介して接続されてもよい。
【００４６】
また、本発明の実施形態による消防用投光器は、信号器に接続ケーブルを介して信号を送信する操作を受け付ける第１スイッチと、光源部の配光を切り換える操作を受け付ける第２スイッチとをさらに備えてもよい。その場合、第１スイッチおよび第２スイッチが、ハンドルを把持した手の指が届く範囲内に配置されていることが好ましい。これにより、信号の送信および配光の切り替えのそれぞれを、ハンドルを把持した方の手での片手操作により行うことができる。従って、ハンドルを把持していない方の手を空けたり、消防用投光器を地面に置いたりする必要がない。そのため、消防用投光器の操作性を向上させることができる。
【００４７】
ハンドルを把持する際の手の姿勢を考慮すると、第１スイッチおよび第２スイッチの操作は、親指で行うことが好ましい。筐体の長手方向において、第１スイッチおよび第２スイッチがハンドルの前方に位置していると、親指での操作を容易に行うことができる。
【００４８】
親指での操作の容易さの観点からは、第１スイッチおよび第２スイッチは、ハンドルの軸線から大きく離れていないことが好ましく、言い換えると、実質的にハンドルの軸線上に位置していることが好ましい。
【００４９】
本発明の実施形態による消防用投光器は、信号器への信号の送信に応じて点灯する信号表示灯をさらに備えてもよい。信号表示灯が、第１スイッチおよび第２スイッチの周辺に配置されていると、信号表示灯の視認が容易となる。
【００５０】
視認の容易さの観点からは、筐体の長手方向において、信号表示灯は、ハンドルの前方に位置していることが好ましい。信号表示灯がハンドルの前方に位置していると、ハンドルを把持している手によって信号表示灯が隠れることがない。
【００５１】
また、視認の容易さの観点からは、筐体の長手方向において、信号表示灯が第１スイッチおよび第２スイッチよりも前方に位置することが好ましい。
【００５２】
第１スイッチおよび第２スイッチと、光源部に供給される電流を制御する制御基板とは、離れた位置に配置され得るので、消防用投光器は、少なくとも２つの防水区画を有することが好ましい。
【００５３】
１つの防水区画に、第１スイッチおよび第２スイッチの両方が配置されていると、消防用投光器全体での防水区画の数を比較的少なくすることができる。
【００５４】
本発明の実施形態による他の消防用投光器では、筐体が、左右方向の幅が相対的に広い幅広部と、左右方向の幅が相対的に狭い幅狭部とを有しており、安全帯に筐体を係止する係止手段が、筐体の幅狭部に配置されている。筐体の幅狭部に配置された係止手段によって、安全帯に筐体を係止するとともに、筐体の幅広部がユーザの身体（具体的には腰から大腿部）に当接して消防用投光器が前下がりになることを防止することにより、光源部がユーザの前方を向いたままの状態で消防用投光器をユーザの身体に固定することが容易となる。
【００５５】
本発明の実施形態によるさらに他の消防用投光器は、筐体の両側面の少なくとも一方に設けられたクリップ部を備える。このクリップ部は、下方に延びる第１舌片部を含んでいるので、水平方向に延びる安全帯に対し、消防用投光器をユーザの前方に向けたまま係止することが容易となる。また、このクリップ部は、上方に延びる第２舌片部を含んでいるので、安全帯に対して消防用投光器をより確実に固定することができる。そのため、光源部がユーザの前方を向いたままの状態で消防用投光器をユーザの身体に固定することが容易となる。
【００５６】
第１舌片部と第２舌片部とは、互いに長さが異なることが好ましい。第１舌片部と第２舌片部とで長さが異なることにより、つまり、比較的長い舌片部と比較的短い舌片部とを組み合わせて用いることにより、安全帯ＳＢに舌片部を掛けやすく、また、クリップ部２２から安全帯ＳＢが外れにくいという利点が得られる。
【発明の効果】
【００５７】
本発明の実施形態によると、前方を照らす状態でユーザの身体に好適に固定することが可能な消防用投光器が提供される。
【図面の簡単な説明】
【００５８】
【図１】本発明の実施形態による消防用投光器１００を模式的に示す斜視図である。
【図２】投光器１００を模式的に示す正面図である。
【図３】投光器１００を模式的に示す側面図である。
【図４】投光器１００を模式的に示す上面図である。
【図５】投光器１００を模式的に示す断面図であり、上下方向および前後方向に平行な断面を示している。
【図６】投光器１００が備える光源部１０を模式的に示す斜視図である。
【図７】光源部１０を模式的に示す正面図である。
【図８】光源部１０を模式的に示す側面図である。
【図９】光源部１０を模式的に示す上面図である。
【図１０】投光器１００に接続ケーブル１を介して接続される信号器２００を模式的に示す側面図である。
【図１１】投光器１００を模式的に示す側面図であり、投光器１００の前後方向中央の位置および投光器１００の重心の位置を示している。
【図１２】クリップ部２２によって筐体２０が安全帯ＳＢに係止されている状態を示す上面図である。
【図１３】投光器１００を模式的に示す側面図であり、筐体２０の側面のガイド部ＧＰにハッチングを付して示している。
【図１４】投光器１００を模式的に示す上面図であり、併せてユーザの腰ＷＡを模式的に示している。
【図１５】（ａ）、（ｂ）、（ｃ）および（ｄ）は、それぞれ係止手段として機能するアタッチメント部材７０を模式的に示す上面図、側面図、正面図および背面図である。
【図１６】投光器１００が有する防水区画の例を示す図である。
【発明を実施するための形態】
【００５９】
以下、図面を参照しながら本発明の実施形態を説明する。なお、本発明は以下の実施形態に限定されるものではない。
【００６０】
図１から図５を参照しながら、本実施形態における消防用投光器（以下では単に「投光器」と呼ぶ）１００を説明する。図１、図２、図３および図４は、それぞれ投光器１００を模式的に示す斜視図、正面図、側面図および上面図である。図５は、投光器１００を模式的に示す断面図であり、上下方向および前後方向に平行な断面を示している。
【００６１】
図１から図５に示すように、投光器１００は、光源部１０、筐体２０およびハンドル３０を備える。また、投光器１００は、第１スイッチ４０、第２スイッチ５０および信号表示灯６０をさらに備える。投光器１００は、後述する信号器に接続ケーブル１を介して接続される。投光器１００は、片手で携行可能である。
【００６２】
光源部（光源ユニット）１０は、図５に示すように、光源として複数のＬＥＤ（発光ダイオード）素子１１を含む。光源部１０は、光を集光照射する状態と、拡散照射する状態とを切り換えることができる。つまり、光源部１０は、その配光を切り換え得る構成を有する。光源部１０のより具体的な構成については後述する。
【００６３】
筐体（器具本体）２０は、光源部１０を収容する。筐体２０は、軽量で耐熱性に優れた材料から形成されていることが好ましい。筐体２０の材料として、例えば炭素繊維強化プラスチック（ＣＦＲＰ）やガラス繊維強化プラスチック（ＧＦＲＰ）、金属材料（例えばアルミニウム合金）などを好適に用いることができる。光源部１０は、筐体２０の前部に配置されており、光源部１０の前部（後述する第１レンズ部および第２レンズ部）は、筐体２０から露出している。また、筐体２０の前部には、光源部１０の前部を保護するための保護部材（レンズガード）２５が取り付けられている。保護部材２５は、金属材料（例えばチタン合金やステンレス合金など）から形成されている。
【００６４】
筺体２０の両側面（左側面および右側面）のそれぞれに、複数の切り欠き部２１ａ、２１ｂが形成されている。これらの切り欠き部２１ａ、２１ｂは、光源部１０の熱を放出するための放熱孔として機能する。図示している例では、複数の切り欠き部２１ａ、２１ｂは、略Ｘ字状の第１切り欠き部２１ａと、略矩形状または略台形状の複数の第２切り欠き部２１ｂとを含む。第１切り欠き部２１ａの上方に、３つの第２切り欠き部２１ｂが位置しており、第１切り欠き部２１ａの下方に、２つの第２切り欠き部２１ｂが位置している。
【００６５】
筺体２０の後部に、接続ケーブル１が接続されている。筐体２０の下部には、三脚取付ボス２６および支持部材２７が取り付けられている。既に説明したように、投光器１００は、携行しながら用いることが可能であるが、三脚取付ボス２６に三脚を取り付けることにより、地面から所望の高さに据え置いて使用することができる。支持部材２７は、投光器１００を地面に置いたときに、光源部１０の光軸が略水平となるように（つまり光が略水平に出射するように）設けられている。また、筐体２０の上部前側には、箱状の部分（以下では「ボックス部」と呼ぶ）２０ａが形成されている。ボックス部２０ａから後方かつ下方に延びる凸部２０ｂが形成されている。筐体２０の上部後側には、ブザー２８が配置されている。また、ここでは図示していないが、筐体２０の内部において光源部１０の後方には、光源部１０に供給される電流を制御するための制御基板が配置されている。
【００６６】
筐体２０は、図４に示すように、筐体２０の他の部分よりも左右方向の幅が広い部分ＷＲを有する。以下では、この部分ＷＲを「幅広部」と呼び、筐体２０の幅広部ＷＲ以外の部分ＮＲを「幅狭部」と呼ぶ。つまり、筐体２０は、左右方向の幅が相対的に広い幅広部ＷＲと、左右方向の幅が相対的に狭い幅狭部ＮＲとを有する。
【００６７】
また、筐体２０の両側面のそれぞれは、左右方向内側に凹んだ曲面部分ＧＰを含む。この曲面部分ＧＰについては、後に詳述する。
【００６８】
ハンドル３０は、筐体２０の上部に配置されている。ハンドル３０は、ユーザの手によって把持される。図示している例では、ハンドル３０は、ハンドル部材（ハンドルバー）３１と、筐体２０のボックス部２０ａから延びる凸部２０ｂによって構成される。ハンドル部材３１は、円筒状の部材であり、金属材料（例えばアルミニウム合金）や樹脂材料（例えばポリアセタール）から形成されている。ハンドル部材３１の前端に、筐体２０の凸部２０ｂが差し込まれている。ハンドル部材３１の後端は、ブラケット２９を介して筐体２０の後部に固定されている。ブラケット２９は、例えばＣＦＲＰや、チタン合金、ステンレス合金などの金属材料から形成されている。
【００６９】
第１スイッチ４０は、信号器に接続ケーブル１を介して信号を送信する操作を受け付ける。これに対し、第２スイッチ５０は、光源部１０の配光を切り換える操作を受け付ける。以下では、第１スイッチ４０を「信号スイッチ」と呼び、第２スイッチ５０を「配光切換スイッチ」と呼ぶこともある。
【００７０】
図示している例では、第１スイッチ４０および第２スイッチ５０のそれぞれは、いわゆる押しボタンスイッチである。押しボタンスイッチである第１スイッチ４０は、図５に示すように、指等によって押圧される押しボタン部４０ａと、押しボタン部４０ａが押圧されるごとにオン状態とオフ状態とが切り替わるスイッチ機構部４０ｂとを含む。第２スイッチ５０も、同様に、押しボタン部５０ａとスイッチ機構部５０ｂとを含む。なお、言うまでもないが、第１スイッチ４０および第２スイッチ５０は、押しボタンスイッチに限定されない。例えば、第１スイッチ４０および第２スイッチ５０は、タクタイルスイッチ、ロッカースイッチまたはトグルスイッチであってもよい。
【００７１】
第１スイッチ４０および第２スイッチ５０は、ハンドル３０を把持した手の指が届く範囲内に配置されている。図示している例では、筐体２０の長手方向において、第１スイッチ４０および第２スイッチ５０は、ハンドル３０の前方に位置している。また、第１スイッチ４０および第２スイッチ５０は、筐体２０の上部（より具体的にはボックス部２０ａ）に配置されており、そのスイッチ機構部４０ｂおよび５０ｂはボックス部２０ａに収容されている。
【００７２】
信号表示灯６０は、信号器への信号の送信に応じて点灯する。典型的には、信号表示灯６０は、信号の送信に同期して点灯する。図示している例では、信号器への信号の送信に応じてブザー２８も動作する。つまり、ブザー２８は、信号の送信に応じて（典型的には同期して）ブザー音を発する。
【００７３】
信号表示灯６０は、第１スイッチ４０および第２スイッチ５０の周辺に配置されている。図示している例では、筐体２０の長手方向において、信号表示灯６０は、ハンドル３０の前方に位置している。また、信号表示灯６０は、筐体２０の上部（より具体的にはボックス部２０ａ）に配置されている。上方から見たとき、信号表示灯６０、第１スイッチ４０および第２スイッチ５０は、仮想的な三角形の頂点に位置するように配置されている。図示している例では、筐体２０の長手方向において、第２スイッチ５０が第１スイッチ４０および信号表示灯６０よりも前方に位置している。
【００７４】
図６から図９を参照しながら、光源部１０の具体的な構成を説明する。図６、図７、図８および図９は、それぞれ光源部１０を模式的に示す斜視図、正面図、側面図および上面図である。
【００７５】
光源部１０は、図６から図９に示すように、複数のＬＥＤ素子１１、第１レンズ部１２、第２レンズ部１３およびヒートシンク部１４を有する。
【００７６】
複数のＬＥＤ素子１１は、図７に示すように、正面方向から見たときに相対的に外側に位置する複数の（ここでは６つの）第１ＬＥＤ素子１１ａと、相対的に内側に位置する複数の（ここでは６つの）第２ＬＥＤ素子１１ｂとを含む。なお、第１ＬＥＤ素子１１ａおよび第２ＬＥＤ素子１１ｂの個数や配置は、図示している例に限定されるものではない。
【００７７】
第１レンズ部１２は、複数の第１ＬＥＤ素子１１ａに対応する位置に配置された複数のレンズ（第１レンズ）１２ａを含む。第２レンズ部１３は、複数の第２ＬＥＤ素子１１ｂに対応する位置に配置された複数のレンズ（第２レンズ）１３ａを含む。第１レンズ部１２および第２レンズ部１３は、それぞれ樹脂材料またはガラス材料から形成されている。
【００７８】
ヒートシンク部１４は、ベース部１４ａと、複数のフィン１４ｂとを有する。ベース部１４ａは、第１レンズ部１２および第２レンズ部１３に接続されている。複数の（ここでは１０枚の）フィン１４ｂは、ベース部１４ａから後方に延びている。ヒートシンク部１４は、金属材料（例えばアルミニウム合金）から形成されている。なお、フィン１４ｂの個数や配置、形状等は、図示している例に限定されるものではない。
【００７９】
各ＬＥＤ素子１１が発する光は、対応するレンズ（第１レンズ１２ａまたは第２レンズ１３ａ）によって所望の指向性を与えられる。例示している光源部１０では、第１レンズ１２ａの焦点距離と、第２レンズ１３ａの焦点距離とが異なっている。第２スイッチ５０を操作すると、第１ＬＥＤ素子１１ａのみが点灯している状態と、第２ＬＥＤ素子１１ｂのみが点灯している状態とを切り換えることができるので、光源部１０の配光を切り換えることができる。第１レンズ１２ａおよび第２レンズ１３ａの焦点距離は、第１ＬＥＤ素子１１ａのみが点灯している状態が集光照射状態で第２ＬＥＤ素子１１ｂのみが点灯している状態が拡散反射状態であるように設定されていてもよいし、その逆でもよい。
【００８０】
第１ＬＥＤ素子１１ａと第２ＬＥＤ素子１１ｂとは、互いに発光色が同じであってもよいし、異なっていてもよい。第１ＬＥＤ素子１１ａの発光色と第２ＬＥＤ素子１１ｂの発光色とが異なっていると、配光の切り替えの際に光源部１０の発光色も切り替えることができる。第１ＬＥＤ素子１１ａの発光色と第２ＬＥＤ素子１１ｂの発光色とが異なる構成としては、例えば、第１ＬＥＤ素子１１ａおよび第２ＬＥＤ素子１１ｂの一方の発光色が白で、他方の発光色が黄である構成を採用することができる。煙が充満している空間内では、発光色によって視認性が異なる（例えば白色光よりも黄色の光の方が視認性が高い）ので、光源部１０の発光色を切り換えることにより、作業性のいっそうの向上を図ることができる。
【００８１】
図１０を参照しながら、信号器の一例を説明する。図１０は、信号器２００を模式的に示す側面図である。
【００８２】
図１０に示す信号器２００は、接続ケーブル１を介して投光器１００に接続されている。また、信号器２００は、別の接続ケーブル２を介して商用電源または発電機に接続されている。従って、投光器１００は、信号器２００を介して外部電源（商用電源または発電機）から電力を供給されるといえる。外部電源から電力の供給を行うことにより、投光器１００を長時間（消防活動に必要な所望の時間）使用することができる。
【００８３】
信号器２００は、信号器本体２０１、ハンドル２０２、第３スイッチ（信号スイッチ）２０３、信号表示灯２０４、ブザー２０５および電源ユニット２０６を備える。
【００８４】
信号器本体２０１は、その内部にブザー２０５および電源ユニット２０６を収容する。信号器本体２０１の上部に、ハンドル２０２が設けられている。
【００８５】
第３スイッチ２０３は、投光器１００に接続ケーブル１を介して信号を送信する操作を受け付ける。図示している例では、第３スイッチ２０３は、信号器本体２０１の上部に配置されている。
【００８６】
信号表示灯２０４は、投光器１００への信号の送信に応じて点灯する。典型的には、信号表示灯２０４は、信号の送信に同期して点灯する。図示している例では、投光器１００への信号の送信に応じてブザー２０５も動作する。つまり、ブザー２０５は、信号の送信に応じて（典型的には同期して）ブザー音を発する。
【００８７】
電源ユニット２０６は、商用電源や発電機から供給される電流・電圧に対し、必要に応じて整流や昇圧、降圧等を行う。
【００８８】
ここで再び図１から図５を参照しながら、本実施形態における投光器１００の構成を説明する。
【００８９】
消防活動の際、消防士が着用する防火衣の腰部分には、安全帯と呼ばれるベルトが巻かれる。本実施形態の投光器１００は、ユーザ（消防士）の腰に巻かれた安全帯に筐体２０を係止する係止手段をさらに備える。この係止手段は、筐体２０の両側面の少なくとも一方に設けられる。図示している例では、係止手段は、クリップ部２２であり、筐体２０の両側面のそれぞれに設けられている。以下、クリップ部２２の具体的な構成について説明を行う。
【００９０】
図３に示すように、クリップ部２２は、第１切り欠き部２１ａによって規定される形状を有する。ここでは、第１切り欠き部２１ａは略Ｘ字状である。そのため、クリップ部２２は、下方に延びる第１舌片部２２ａと、上方に延びる第２舌片部２２ｂとを含む。
【００９１】
図１１に、投光器１００の前後方向中央の位置および投光器１００の重心の位置を示す。図１１において、鎖線ＣＰが前後方向中央の位置を示しており、鎖線ＣＧが前後方向における重心の位置を示している。
【００９２】
図１１からわかるように、投光器１００の重心は、前後方向中央よりも前方（つまり光源部側）に位置している。また、係止手段であるクリップ部２２も、投光器１００の前後方向中央よりも前方に位置している。つまり、クリップ部２２は、投光器１００の前後方向中央よりも投光器１００の重心側に位置している。なお、図１１には、クリップ部２２の前後方向中央の位置を、鎖線２２ｃｐで示している。図１１からもわかるように、「係止手段（クリップ部２２）が、投光器１００の前後方向中央よりも投光器１００の重心側に位置している」とは、係止手段（クリップ部２２）の前後方向中央（鎖線２２ｃｐで示される位置）が、投光器１００の前後方向中央よりも重心側に位置していることを意味する。
【００９３】
図１２に、クリップ部２２によって筐体２０が安全帯ＳＢに係止されている状態を示す。安全帯ＳＢの幅および厚さは、それぞれ例えば５０ｍｍおよび２ｍｍである。図１２に示すように、安全帯ＳＢをクリップ部２２の第１舌片部２２ａおよび第２舌片部２２ｂに引っ掛けるように（言い換えると第１舌片部２２ａおよび第２舌片部２２ｂの裏側に安全帯ＳＢの一部が位置するように）第１切り欠き部２１ａに通すことにより、筐体２０を安全帯ＳＢに係止することができる。これにより、投光器１００を前方に向けたままユーザの腰に固定することができる。このとき、クリップ部２２は、安全帯ＳＢに筐体２０を少なくとも３点で係止する。図示している例では、クリップ部２２は、３点で係止を行っている。より具体的には、第１舌片部２２ａが２点、第２舌片部２２ｂが１点で係止を行っている。
【００９４】
上述したように、本実施形態の投光器１００は、安全帯ＳＢに筐体２０を係止する係止手段（クリップ部２２）を備えており、係止手段は、投光器１００の前後方向中央よりも投光器１００の重心側に位置している。係止手段が前後方向中央よりも重心側に位置していることにより、重心から比較的近い位置で係止が行われるので、光源部１０がユーザの前方を向いたままの状態で投光器１００をユーザの身体に固定することが容易となる。これに対し、係止手段が前後方向中央に対して重心とは反対側に位置していると、投光器１００の重心から係止手段までの距離が比較的長くなることがあり、光源部１０がユーザの前方を向いたままの状態で投光器１００をユーザの身体に固定することが難しくなるおそれがある。
【００９５】
このように、本実施形態の投光器１００は、前方を照らす状態で（つまり光源部１０がユーザの前方を向いたまま）ユーザの身体に好適に固定することができる。
【００９６】
なお、図示した例では、係止手段（グリップ部２２）が筐体２０の両側面のそれぞれに設けられているが、係止手段が筐体２０の両側面の一方のみ（左側面および右側面のいずれか）に設けられていてもよい。本実施形態のように、係止手段が筐体２０の両側面のそれぞれに設けられていると、投光器１００をユーザの腰の右側および左側のどちらにも固定することができるので、ユーザの利き手を問わず投光器１００を好適に使用できる利点が得られる。
【００９７】
既に説明したように、本実施形態では、筐体２０の両側面のそれぞれは、左右方向内側に凹んだ曲面部分ＧＰを含んでいる。筺体２０の、係止手段が設けられている側面がこのような曲面部分ＧＰを含むことにより、安全帯ＳＢに筐体２０を係止（つまり投光器１００を固定）したときに、筐体２０がユーザの身体にフィットしやすくなる。つまり、上述した曲面部分ＧＰは、ユーザの身体に対するガイド形状を有する部分であり、以下では「ガイド部」とも呼ぶ。以下、図１３および図１４を参照しながら、このことをより具体的に説明する。図１３は、投光器１００の側面図であり、ガイド部ＧＰにわかりやすさのためにハッチングを付している。図１４は、投光器１００の上面図であり、併せてユーザの腰ＷＡを模式的に示している。
【００９８】
本実施形態では、ガイド部ＧＰは、図１３に示すように、筐体２０の側面の上下方向における中央部に位置しており、図１４に示すように、ユーザの腰ＷＡ（より具体的には腰ＷＡに巻かれた安全帯ＳＢ）に当接する。
【００９９】
筺体２０の側面がこのようなガイド部ＧＰを含むことにより、安全帯ＳＢに筐体２０を係止したときに、筐体２０がユーザの身体にフィットしやすくなる。言い換えると、ユーザの身体にクリップ部２２だけでなくガイド部ＧＰも当接するようになる。そのため、投光器１００を固定したときの安定性が増す。また、ユーザが素早く動いても、クリップ部２２のみに負荷が集中することを防止できるので、クリップ部２２が破損しにくい。また、比較的広い面積で投光器１００を支持することになるので、光源部１０をユーザの前方に向けたままの固定がいっそう容易となる。
【０１００】
ガイド部ＧＰの具体的な形状は、ユーザの腰になるべく沿うように設定される。ガイド部ＧＰの曲率半径は、例えば２５０ｍｍ以上１３００ｍｍ以下である。
【０１０１】
また、本実施形態では、係止手段が、筐体２０の側面の切り欠き部２１ａによって規定される形状を有するクリップ部２２である。これにより、部品点数の削減および筐体２０の軽量化を図るとともに、投光器１００のデザイン性を高くすることができる。
【０１０２】
筐体２０の切り欠き部２１ａは、光源部１０で生じる熱を放出するための放熱孔として機能してもよい。放熱孔を、クリップ部２２の形状を規定する切り欠き部２１ａとしても用いることにより、筐体２０に余分な孔を形成する必要がない。
【０１０３】
クリップ部２２が、投光器１００の下方に延びる第１舌片部２２ａを含むことにより、水平方向に延びる安全帯ＳＢに対し、投光器１００をユーザの前方に向けたまま係止することが容易となる。また、クリップ部２２が、投光器１００の上方に延びる第２舌片部２２ｂをさらに含むことにより、安全帯ＳＢに対して投光器１００をより確実に固定することができる。第１舌片部２２ａと第２舌片部２２ｂとは、連続しておらず、第１舌片部２２ａと第２舌片部２２ｂとの間には隙間があるので、ユーザは、安全帯ＳＢを身体から取り外すことなく、安全帯ＳＢに投光器１００を固定することができる。
【０１０４】
上述したような第１舌片部２２ａおよび第２舌片部２２ｂを含むクリップ部２２は、例えば、第１切り欠き部２１ａを略Ｘ字状にすることにより得られる。勿論、第１切り欠き部２１ａの形状はこれに限定されるものではない。例示した略Ｘ字状の他、略Ｈ字状、略Ｍ字状、略Ｗ字状、略Ｖ字状、略Ｕ字状などであってもよい。
【０１０５】
また、本実施形態では、投光器１００の重心が、投光器１００の前後方向中央よりも前方に位置しており、筐体２０の幅広部ＷＲも投光器１００の前後方向中央より前方に位置している。そのため、幅広部ＷＲがユーザの身体（具体的には腰から大腿部）に当接することにより、投光器１００が前下がりになることを防止して投光器１００がユーザの前方に向いた状態をより確実に維持することができる。このように、幅狭部ＮＲに配置された係止手段（クリップ部２２）と、幅広部ＷＲとによって、ユーザの身体に固定した投光器１００によって前方を照らす状態を維持することが容易となる。
【０１０６】
なお、クリップ部２２の第１舌片部２２ａおよび第２舌片部２２ｂの幅や長さに特に制限はなく、安全帯ＳＢに対する筐体２０の係止を十分確実に行い得るように適宜設定され得る。第１舌片部２２ａと第２舌片部２２ｂとは、互いに長さが異なることが好ましい。第１舌片部２２ａと第２舌片部２２ｂとで長さが異なることにより、つまり、比較的長い舌片部と比較的短い舌片部とを組み合わせて用いることにより、安全帯ＳＢに舌片部を掛けやすく、また、クリップ部２２から安全帯ＳＢが外れにくいという利点が得られる。図３などに示したように第１舌片部２２ａが第２舌片部２２ｂより長くてもよいし、逆に、第２舌片部２２ｂが第１舌片部２２ａより長くてもよい。クリップ部２２によって安全帯ＳＢに筐体２０を係止する際には、まず、長い方の舌片部を安全帯ＳＢに掛け、その後、短い方の舌片部を安全帯ＳＢに掛けることになる。第１舌片部２２ａと第２舌片部２２ｂとで長さが同じ場合、第１舌片部２２ａおよび第２舌片部２２ｂの両方が長いと、安全帯ＳＢに舌片部を掛けにくい（つまり投光器１００の取付けが難しい）ことがあり、第１舌片部２２ａおよび第２舌片部２２ｂの両方が短いと、クリップ部２２から安全帯ＳＢが外れやすくなることがある。
【０１０７】
また、図示している例では、クリップ部２２が第１舌片部２２ａおよび第２舌片部２２ｂを１つずつ含んでいるが、クリップ部２２は第１舌片部２２ａおよび／または第２舌片部２２ｂを複数含んでいてもよい。例えば、クリップ部２２は、２つの第１舌片部２２ａと、１つの第２舌片部２２ｂとを含んでもよい。さらに、クリップ部２２は、第２舌片部２２ｂを含んでいなくもよい。第１切り欠き部２１ａが略Ｈ字状の場合、クリップ部２２は、略Ｘ字状の場合と同様に、第１舌片部２２ａおよび第２舌片部２２ｂを１つずつ含む。これに対し、第１切り欠き部２１ａが略Ｍ字状の場合、クリップ部２２は、１つの第１舌片部２２ａおよび２つの第２舌片部２２ｂを含む。また、第１切り欠き部２１ａが略Ｗ字状の場合、クリップ部２２は、２つの第１舌片部２２ａおよび１つの第２舌片部２２ｂを含む。第１切り欠き部２２ａが略Ｖ字状または略Ｕ字状の場合、クリップ部２２は、１つの第１舌片部２２ａを含み、第２舌片部２２ｂを含まない。
【０１０８】
なお、本実施形態では、係止手段として、筐体２０に一体に形成されたクリップ部２２を例示したが、係止手段はこれに限定されるものではない。係止手段は、筐体２０と一体に形成されてもよいし、筐体２０と別体に形成されてもよい。筐体２０と別体に形成された係止手段は、筐体２０に接合されていてもよいし、筐体２０に対して取り付けおよび取り外し可能なアタッチメント部材であってもよい。図１５に、そのようなアタッチメント部材の例を示す。図１５（ａ）、（ｂ）、（ｃ）および（ｄ）は、それぞれ係止手段として機能するアタッチメント部材７０を模式的に示す上面図、側面図、正面図および背面図である。
【０１０９】
図１５（ａ）、（ｂ）、（ｃ）および（ｄ）に示すように、アタッチメント部材７０は、底部７１および底部７１の一端から上方に延びる側壁部７２を有する。アタッチメント部材７０の断面形状は、略Ｌ字状である。
【０１１０】
図１５（ａ）に示すように、底部７１は、中央付近に貫通孔７１ａを有する。
【０１１１】
図１５（ｃ）に示すように、側壁部７２の正面側には、略Ｘ字状（略Ｈ字状ともいえる）の切り欠き部７２ａが形成されている。また、図１５（ｂ）および（ｄ）に示すように、側壁部７２の背面側には、複数（ここでは２つ）の突起７２ｂが設けられている。突起７２ｂの先端部は、フランジ状である。
【０１１２】
また、アタッチメント部材７０は、図１５（ｃ）に示すように、側壁部７２の切り欠き部７２ａによって規定される形状を有するクリップ部７３を含む。クリップ部７３は、下方に延びる第１舌片部７３ａと、上方に延びる第２舌片部７３ｂとを含む。
【０１１３】
上述した構成を有するアタッチメント部材７０は、底部７１の貫通孔７１ａに三脚取付ボス２６を差し込むとともに、側壁部７２の突起７２ｂを筐体２０の放熱孔に引っ掛けることにより、筐体２０に取り付けることができる。また、アタッチメント部材７０は、クリップ部７３によって安全帯ＳＢに係止され得る（つまり取り付けられ得る）。実際の使用の際には、あらかじめアタッチメント部材７０を安全帯ＳＢに取り付けておき、必要に応じてアタッチメント部材７０を投光器１００に取り付けることにより、投光器１００をユーザの身体に固定することができる。
【０１１４】
筐体２０とは別体のアタッチメント部材７０を用いる場合、筐体２０には、第１切り欠き部２１ａのようなサイズの大きい放熱孔を形成する必要はない。そのため、放熱孔のサイズを小さくできるので、例えば投光器１００を引きずった場合に投光器１００を何かに引っ掛けてしまう可能性を低減できる。
【０１１５】
既に説明したように、本実施形態における投光器１００では、第１スイッチ（信号スイッチ）４０および第２スイッチ（配光切換スイッチ）５０が、ハンドル３０を把持した手（以下では「持ち手」と呼ぶ）の指が届く範囲内に配置されている。そのため、信号の送信および配光の切り替えのそれぞれを、持ち手での片手操作により行うことができる。そのため、ハンドル３０を把持していない方の手を空けたり、投光器１００を地面に置いたりする必要がない。このように、本実施形態によれば、投光器１００の操作性を向上させることができる。
【０１１６】
ここで、「持ち手の指の届く範囲」は、成人の平均的な手の大きさ（指の長さ）に基づいて設定され得る。本実施形態で例示した構成では、第１スイッチ４０および第２スイッチ５０は、ハンドル３０の前方に位置している。この場合、「持ち手の指の届く範囲」とは、例えば、ハンドル３０の前端３０ｆｅ（図３参照）から５０ｍｍ以内の範囲である（図示している例ではハンドル部材３１の前端から８０ｍｍ以内の範囲である）。
【０１１７】
なお、ここではハンドル３０がハンドル部材３１と容器本体２０から延びる凸部２０ｂとから構成される例を示したが、ハンドル３０の構成はこれに限定されない。ハンドル３０は、３つ以上の部材から構成されてもよいし、単一の部材であってもよい。
【０１１８】
ハンドル３０を把持する際の手の姿勢を考慮すると、第１スイッチ４０および第２スイッチ５０の操作は、親指で行うことが好ましい。本実施形態のように、筐体２０の長手方向において、第１スイッチ４０および第２スイッチ５０がハンドル３０の前方に位置していると、親指での操作が容易である。
【０１１９】
親指での操作の容易さの観点からは、第１スイッチ４０および第２スイッチ５０は、ハンドル３０の軸線３０ａ（図４参照）から大きく離れていないことが好ましく、言い換えると、実質的にハンドル３０の軸線３０ａ上に位置していることが好ましい。
【０１２０】
また、本実施形態では、信号表示灯６０が、第１スイッチ４０および第２スイッチ５０の周辺に配置されている。このことにより、信号表示灯６０の視認が容易となる。これに対し、特許文献１の投光器では、表示灯が投光器本体の側面に配置されているので、表示灯をユーザが視認できない（つまり表示灯がユーザの死角に入ってしまう）おそれがある。
【０１２１】
視認の容易さの観点からは、筐体２０の長手方向において、信号表示灯６０は、ハンドル３０の前方に位置していることが好ましい。信号表示灯６０がハンドル３０の前方に位置していると、ハンドル３０を把持している手によって信号表示灯６０が隠れることがない。
【０１２２】
なお、第１スイッチ４０、第２スイッチ５０および信号表示灯６０の配置は、図示した例に限定されるものではない。例えば、第１スイッチ４０と第２スイッチ５０の位置が入れ替わってもよいし、信号表示灯６０と第１スイッチ４０または第２スイッチ５０の位置が入れ替わってもよい。視認の容易さの観点からは、筐体２０の長手方向において、信号表示灯６０が第１スイッチ４０および第２スイッチ５０よりも前方に位置する配置（図示している第２スイッチ５０の位置に信号表示灯６０が配置された構成）が好ましいといえる。
【０１２３】
言うまでもないが、消防活動は放水作業を伴うため、投光器１００は頻繁に被水する。そのため、投光器１００は、高い防水性を有することが好ましい。第１スイッチ４０および第２スイッチ５０と、光源部１０に供給される電流を制御する制御基板とは、離れた位置に配置され得るので、投光器１００は、少なくとも２つの防水区画を有することが好ましい。
【０１２４】
図１６に、投光器１００が有する防水区画の例を示す。図１６に示す例では、投光器１００は、３つの防水区画ＷＣ１、ＷＣ２およびＷＣ３を有する。
【０１２５】
防水区画ＷＣ１、ＷＣ２およびＷＣ３のうちの第１防水区画ＷＣ１は、筐体２０のボックス部２０ａに対応する領域であり、第１スイッチ４０、第２スイッチ５０および信号表示灯６０が配置されている。第２防水区画ＷＣ２は、筐体２０の後部に対応する領域であり、ブザー２８および不図示の制御基板が配置されている。第３防水区画ＷＣ３は、筐体２０の前部に対応する領域であり、光源部１０が配置されている。なお、防水区画を実現するための具体的な手法については、公知の手法を用いることができるので、ここではその説明を省略する。
【０１２６】
図１６に示した例のように、１つの防水区画（ここでは第１防水区画ＷＣ１）に第１スイッチ４０および第２スイッチ５０の両方を配置することにより、投光器１００全体での防水区画の数を比較的少なくすることができる。
【０１２７】
上述したように、本発明の実施形態による消防用投光器１００は、光源部１０と、光源部１０を収容する筐体２０と、を備えた消防用投光器１００であって、筐体２０の両側面の少なくとも一方に設けられた係止手段であって、ユーザの腰に巻かれた安全帯ＳＢに筐体２０を係止する係止手段をさらに備え、係止手段は、消防用投光器１００の前後方向中央よりも消防用投光器１００の重心側に位置している。
【０１２８】
本発明の実施形態による消防用投光器１００は、ユーザの腰に巻かれた安全帯ＳＢに筐体２０を係止する係止手段を備えており、この係止手段は、消防用投光器１００の前後方向中央よりも消防用投光器１００の重心側に位置している。係止手段が前後方向中央よりも重心側に位置していることにより、重心から比較的近い位置で係止が行われるので、光源部１０がユーザの前方を向いたままの状態で消防用投光器１００をユーザの身体に固定することが容易となる。これに対し、係止手段が前後方向中央に対して重心とは反対側に位置していると、消防用投光器１００の重心から係止手段までの距離が比較的長くなることがあり、光源部１０がユーザの前方を向いたままの状態で消防用投光器１００をユーザの身体に固定することが難しくなるおそれがある。
【０１２９】
ある実施形態では、筐体２０の少なくとも一方の側面は、左右方向内側に凹んだ曲面部分ＧＰを含む。
【０１３０】
筺体２０の係止手段が設けられている側面が左右方向内側に凹んだ曲面部分ＧＰを含むことにより、安全帯ＳＢに筐体２０を係止（つまり消防用投光器１００を固定）したときに、筐体２０がユーザの身体にフィットしやすくなる。つまり、ユーザの身体に係止手段だけでなく曲面部分ＧＰも当接するようになる。そのため、消防用投光器１００を固定したときの安定性が増す。また、ユーザが素早く動いても、係止手段のみに負荷が集中することを防止できるので、係止手段が破損しにくい。また、比較的広い面積で消防用投光器１００を支持することになるので、光源部１０をユーザの前方に向けたままの固定がいっそう容易となる。
【０１３１】
ある実施形態では、係止手段は、筐体２０の両側面のそれぞれに設けられている。
【０１３２】
係止手段が筐体２０の両側面のそれぞれに設けられていると、消防用投光器１００をユーザの腰の右側および左側のどちらにも固定することができる。そのため、ユーザの利き手を問わず消防用投光器１００を好適に使用できる利点が得られる。
【０１３３】
ある実施形態では、筐体２０の少なくとも一方の側面は、切り欠き部２１ａを有し、係止手段は、切り欠き部２１ａによって規定される形状を有するクリップ部２２である。
【０１３４】
係止手段が、筐体２０の側面の切り欠き部２１ａによって規定される形状を有するクリップ部２２であると、部品点数の削減および筐体２０の軽量化を図るとともに、消防用投光器１００のデザイン性を高くすることができる
ある実施形態では、筐体２０の切り欠き部２１ａは、光源部１０で生じる熱を放出するための放熱孔として機能する。
【０１３５】
筐体２０の側面に形成された切り欠き部２１ａは、光源部１０で生じる熱を放出するための放熱孔として機能してもよい。放熱孔を、クリップ部２２の形状を規定する切り欠き部２１ａとしても用いることにより、筐体２０に余分な孔を形成する必要がない。
【０１３６】
ある実施形態では、クリップ部２２は、下方に延びる第１舌片部２２ａを含む。
【０１３７】
クリップ部２２が、下方に延びる第１舌片部２２ａを含むことにより、水平方向に延びる安全帯ＳＢに対し、消防用投光器１００をユーザの前方に向けたまま係止することが容易となる。
【０１３８】
ある実施形態では、クリップ部２２は、上方に延びる第２舌片部２２ｂをさらに含む。
【０１３９】
クリップ部２２が、上方に延びる第２舌片部２２ｂをさらに含むことにより、安全帯ＳＢに対して消防用投光器１００をより確実に固定することができる。
【０１４０】
ある実施形態では、第１舌片部２２ａと第２舌片部２２ｂとは、互いに長さが異なる。
【０１４１】
第１舌片部２２ａと第２舌片部２２ｂとは、互いに長さが異なることが好ましい。第１舌片部２２ａと第２舌片部２２ｂとで長さが異なることにより、つまり、比較的長い舌片部と比較的短い舌片部とを組み合わせて用いることにより、安全帯ＳＢに舌片部を掛けやすく、また、クリップ部２２から安全帯ＳＢが外れにくいという利点が得られる。
【０１４２】
ある実施形態では、切り欠き部２１ａは、略Ｘ字状である。
【０１４３】
上述したような第１舌片部２２ａおよび第２舌片部２２ｂを含むクリップ部２２は、例えば、切り欠き部２１ａを略Ｘ字状にすることにより得られる。
【０１４４】
ある実施形態では、消防用投光器１００の重心は、消防用投光器１００の前後方向中央よりも前方に位置している。
【０１４５】
消防用投光器１００の重心は、典型的には、消防用投光器１００の前後方向中央よりも前方に位置している。
【０１４６】
ある実施形態では、筐体２０は、筐体２０の他の部分よりも左右方向の幅が広い幅広部ＷＲを有し、幅広部ＷＲは、消防用投光器１００の前後方向中央よりも前方に位置している。
【０１４７】
筐体２０は、筐体２０の他の部分よりも左右方向の幅が広い幅広部ＷＲを有していてもよい。消防用投光器１００の重心が、消防用投光器１００の前後方向中央よりも前方に位置している場合、筐体２０の幅広部ＷＲも消防用投光器１００の前後方向中央より前方に位置していると、幅広部ＷＲがユーザの身体（具体的には腰から大腿部）に当接することにより、消防用投光器１００が前下がりになることを防止できる。そのため、消防用投光器１００がユーザの前方に向いた状態をより確実に維持することができる。
【０１４８】
ある実施形態では、消防用投光器１００は、外部電源から電力を供給される。
【０１４９】
本発明の実施形態は、外部電源から電力を供給される消防用投光器１００に好適に用いられる。外部電源から電力の供給を行うことにより、消防用投光器１００を長時間（消防活動に必要な所望の時間）使用することができる。
【０１５０】
本発明の実施形態による他の消防用投光器１００は、光源部１０と、光源部１０を収容する筐体２０と、を備えた消防用投光器１００であって、筐体２０の両側面の少なくとも一方に設けられた係止手段であって、ユーザの腰に巻かれた安全帯ＳＢに筐体２０を係止する係止手段をさらに備え、筐体２０は、左右方向の幅が相対的に広い幅広部ＷＲと、左右方向の幅が相対的に狭い幅狭部ＮＲとを有し、係止手段は、筐体２０の幅狭部ＮＲに配置されている。
【０１５１】
本発明の実施形態による他の消防用投光器１００では、筐体２０が、左右方向の幅が相対的に広い幅広部ＷＲと、左右方向の幅が相対的に狭い幅狭部ＮＲとを有しており、安全帯ＳＢに筐体２０を係止する係止手段が、筐体２０の幅狭部ＮＲに配置されている。筐体２０の幅狭部ＮＲに配置された係止手段によって、安全帯ＳＢに筐体２０を係止するとともに、筐体２０の幅広部ＷＲがユーザの身体（具体的には腰から大腿部）に当接して消防用投光器１００が前下がりになることを防止することにより、光源部１０がユーザの前方を向いたままの状態で消防用投光器１００をユーザの身体に固定することが容易となる。
【０１５２】
本発明の実施形態によるさらに他の消防用投光器１００は、光源部１０と、光源部１０を収容する筐体２０と、を備えた消防用投光器１００であって、筐体２０の両側面の少なくとも一方に設けられたクリップ部２２であって、下方に延びる第１舌片部２２ａと、上方に延びる第２舌片部２２ｂとを含むクリップ部２２をさらに備える。
【０１５３】
本発明の実施形態によるさらに他の消防用投光器１００は、筐体２０の両側面の少なくとも一方に設けられたクリップ部２２を備える。このクリップ部２２は、下方に延びる第１舌片部２２ａを含んでいるので、水平方向に延びる安全帯ＳＢに対し、消防用投光器１００をユーザの前方に向けたまま係止することが容易となる。また、このクリップ部２２は、上方に延びる第２舌片部２２ｂを含んでいるので、安全帯ＳＢに対して消防用投光器１００をより確実に固定することができる。そのため、光源部１０がユーザの前方を向いたままの状態で消防用投光器１００をユーザの身体に固定することが容易となる。
【０１５４】
ある実施形態では、第１舌片部２２ａと第２舌片部２２ｂとは、互いに長さが異なる。
【０１５５】
第１舌片部２２ａと第２舌片部２２ｂとは、互いに長さが異なることが好ましい。第１舌片部２２ａと第２舌片部２２ｂとで長さが異なることにより、つまり、比較的長い舌片部と比較的短い舌片部とを組み合わせて用いることにより、安全帯ＳＢに舌片部を掛けやすく、また、クリップ部２２から安全帯ＳＢが外れにくいという利点が得られる。
【産業上の利用可能性】
【０１５６】
本発明の実施形態によると、前方を照らす状態でユーザの身体に好適に固定することが可能な消防用投光器が提供される。
【符号の説明】
【０１５７】
１：接続ケーブル、２：接続ケーブル、１０：光源部、１１：ＬＥＤ素子（光源）、１１ａ：第１ＬＥＤ素子、１１ｂ：第２ＬＥＤ素子、１２：第１レンズ部、１２ａ：第１レンズ、１３：第２レンズ部、１３ａ：第２レンズ、１４：ヒートシンク部、１４ａ：ベース部、１４ｂ：フィン、２０：筐体、２０ａ：ボックス部、２０ｂ：凸部、２１ａ：第１切り欠き部、２１ｂ：第２切り欠き部、２２：クリップ部、２２ａ：第１舌片部、２２ｂ：第２舌片部、２５：保護部材（レンズガード）、２６：三脚取付ボス、２７：支持部材、２８：ブザー、２９：ブラケット、３０：ハンドル、３０ａ：ハンドルの軸線、３０ｆｅ：ハンドルの前端、３１：ハンドル部材、４０：第１スイッチ（信号スイッチ）、５０：第２スイッチ（配光切換スイッチ）、６０：信号表示灯、７０：アタッチメント部材、７１：底部、７１ａ：貫通孔、７２：側壁部、７２ａ：切り欠き部、７２ｂ：突起、７３：クリップ部、７３ａ：第１舌片部、７３ｂ：第２舌片部、１００：投光器、２００：信号器、２０１：信号器本体、２０２：ハンドル、２０３：第３スイッチ（信号スイッチ）、２０４：信号表示灯、２０５：ブザー、２０６：電源ユニット、ＧＰ：筐体の側面の曲面部分（ガイド部）、ＷＣ１：第１防水区画、ＷＣ２：第２防水区画、ＷＣ３：第３防水区画、ＷＲ：筐体の幅広部、ＮＲ：筐体の幅狭部、ＳＢ：安全帯
【図１】
2019207843.tif 000003
【図２】
2019207843.tif 000004
【図３】
2019207843.tif 000005
【図４】
2019207843.tif 000006
【図５】
2019207843.tif 000007
【図６】
2019207843.tif 000008
【図７】
2019207843.tif 000009
【図８】
2019207843.tif 000010
【図９】
2019207843.tif 000011
【図１０】
2019207843.tif 000012
【図１１】
2019207843.tif 000013
【図１２】
2019207843.tif 000014
【図１３】
2019207843.tif 000015
【図１４】
2019207843.tif 000016
【図１５】
2019207843.tif 000017
【図１６】
2019207843.tif 000018